(57)【特許請求の範囲】
【請求項１】
燃料タンク（３）  の搭載高さが低くなるように、カウンタウエイト（１）  内部に格納する方式のフォークリフトトラックにおいて、カウンタウエイト（１）  の後部中心とブラケットとにＶ形の溝の支点（１１），（４４）  を設けると共に、さらに格納位置の手前に中間の受け部分（２）  を形成するように、アングル（４２）とサドル（４３）を配置したブラケット（４）  とからなることを特徴とするフォークリフトトラックの燃料タンクの搭載装置。
【発明の詳細な説明】
【０００１】
【発明の属する技術分野】
この発明はフォークリフトトラックにおいて、燃料タンクを作業者が車に搭載する装置に関するものである。
【０００２】
【従来の技術】
従来の技術としては実開平２−１２６９３０公報や、実開平２−３３７２７  号公報などの搭載装置がある。
フォークリフトトラックのカウンタウエイトの上面高さまでは、燃料タンクを地上から大人の胸の高さ程も持ち上げる必要があり、そのため前者は専用の燃料タンク搭載装置を提供すのものであり、後者の場合は、搭載高さを低くするように、カウンタウエイトの内部に燃料タンクを格納する方式のものであった。
【０００３】
【発明が解決しようとする課題】
しかし上記従来技術の前者のような、高い取付位置へ燃料タンクを搭載するために、専用装置を設けた場合には、点検や後方視界性を考慮するために、装置の構造が複雑となり、高価となるという課題があった。
また燃料タンクの充満状態の重量は、３０Ｋｇ〜４０Ｋｇにもなるので、従来技術の後者のように例え搭載高さが低くなっても、作業者が両手で燃料タンクを持ち上げて搭載する時には、作業者の腰に過大な負担が掛かってしまうといった課題を有していた。
【０００４】
【課題を解決するための手段及び作用効果】
この発明は上記の課題に対処するためになされたもので、燃料タンクの搭載高さが低くなるようにした、カウンタウエイト内部に格納する方式とした上で、カウンタウエイトの後部中心と、燃料タンクを固定するブラケットとにＶ形の溝の支点を設け、更に格納位置の手前に中間の受けを形成するように、アングルとサドルを配置したブラケットを設けた構造の搭載装置としている。
【０００５】
上述の構造を採ることにより、カウンタウエイトの後部中心とブラケットに設けたＶ形の溝は、燃料タンク搭載時に傾けて燃料タンクの胴部を当てて、作業者が持ち上げる時の支点として利用すれば、滑らせて斜めに持ち上げることで、従来両手で下から持ち上げる場合に必要とした力の半分ですむことになる。
【０００６】
さらに中間の受けを設けたことで、持ち上げた後、旋回して横向きにした燃料タンクを、中間の受けの位置に一旦預けることができ、作業者が一息つくことができると共に、格納位置の調整や燃料ホースの状態を確認してから、格納固定位置へブラケットの上を転がして収めることが可能となる。
【０００７】
上述の搭載作業により、低い位置で安全に燃料タンクの搭載ができると共に、支点で支えながら、滑らせて持ち上げることで、持ち上げ力を半減でき、作業者の腰の負担を緩和し疲労軽減に寄与する効果が大きい。
【０００８】
【発明の実施の形態】
以下この発明の実施例について、図面により説明する。
図１は燃料タンクの搭載装置を設けたカウンタウエイトの断面図、図２はそのカウンタウエイトの後面視図、図３は搭載装置のブラケットの中間の受け部分の斜視図である。
カウンタウエイト１の内部には、搭載装置のブラケット４が取り付けられていて、燃料タンク３を固定バンド４５を使用して固定が行える。
搭載作業をする時は、固定バンドは後部へ垂らして置く。
更にカウンタウエイト１の中央には支点１１を設けてあり、ここへ燃料タンク３の胴を当てて傾けた状態にして、搭載作業の準備をする。
【０００９】
搭載装置のブラケット４には２個のアングル４２とサドル４３が中間の受け部分を構成していて、サドル４３を挟んでアングル４２が両側に配置され、上面部分に燃料タンク３が横向きに載せられた時に、手を添えているだけで一時的に転がるのを止める中間の受けとなり、作業者が一息つくことができるようになっている。
【００１０】
図４ないし図５，図６を参照して、作業者が行う燃料タンク３の搭載作業を順に説明する。
図４の搭載手順の説明略図▲１▼は、フォークリフトトラックの機種に合わせた、適当な高さの台上で、作業者が立てて置かれた燃料タンク３を、カウンタウエイト１の支点１１に傾けて、その胴部を当てている状態を示している。
なお図中位置Ａは燃料タンク３が格納固定される位置を示し、位置Ｂは搭載作業中に中間の受け部材２に一時的に預けて、作業者が一息つくことができる位置を示している。
【００１１】
図５の搭載手順の説明略図▲２▼は、上述の図４の状態から、作業者が燃料タンク３を支点１１に沿わせて滑らせながら、持ち上げている状態を示している。
図中で最初は、カウンタウエイト１に設けられた支点１１を使っている略図になっているが、燃料タンク３の上昇に伴い、ブラケット４のサドル４３に設けられた支点４４に移動していることを図示している。
【００１２】
図６の搭載手順の説明略図▲３▼は、作業者が支点４４で燃料タンク３を支えながら、横向きに回して、ブラケット４の中間の受け部分２に載せようとしている状態を示している。
図７は燃料タンク３が中間の受け部分２に横向きに載せられた状態を示している。
この時には燃料タンク３の重量は、殆どカウンタウエイト１に取り付けたブラケット４に掛かっているので、作業者の必要とする力は、十分に少なくなっている。
【００１３】
燃料タンク３がブラケット４の中間の受け部分２に載った図４の位置Ｂで、作業者は一息突くことができるほか、搭載時連結した燃料ホースの状態とか、中間の受け部分２の位置から、ブラケット４のアングル４２の上を転がして落とす、格納固定位置を確認し、調整することができる。
格納固定位置へ収められた燃料タンク３に、ブラケット４のタンク固定バンド４５を掛けてこの作業は終了となる。
【００１４】
燃料タンク３の充満状態の重量が、３０Ｋｇ〜４０Ｋｇにもなるので、例え搭載高さが低くなっても、作業者が燃料タンク３を持ち上げて搭載する場合には、作業者の腰に過大な負担が掛かってしまっていた。
しかし上述の搭載手順のように、カウンタウエイト１などの支点１１を使って、斜めに滑らせながら、燃料タンク３を持ち上げる場合には、作業者が必要とする力はテコの原理により、従来の力の半分ですむことになり、作業者の腰に掛かる負担が、大幅に低減され、従って安全な搭載作業が達成できることになる。
【図面の簡単な説明】
【図１】燃料タンクの搭載装置を設けたカウンタウエイトの断面図である。
【図２】搭載装置を設けたカウンタウエイトの後面視図である。
【図３】ブラケットの中間の受け部分の斜視図である。
【図４】搭載手順の説明略図▲１▼である。
【図５】搭載手順の説明略図▲２▼である。
【図６】搭載手順の説明略図▲３▼である。
【図７】中間の受け部分に燃料タンクが横向きに載った状態図である。
【符号の説明】
１  カウンタウエイト
１１  支点
２  中間の受け部分
３  燃料タンク
４  ブラケット
４２  アングル
４３  サドル
４４  支点
【図１】
0003545911.tif 000002
【図２】
0003545911.tif 000003
【図３】
0003545911.tif 000004
【図４】
0003545911.tif 000005
【図５】
0003545911.tif 000006
【図６】
0003545911.tif 000007
【図７】
0003545911.tif 000008